(57)【特許請求の範囲】
【請求項１】
略扁平な板状に構成された壁紙貼り付け具であって、
前記板状の外縁部のうち一方側に、建造物の直角凸壁面に壁紙部材を押し当てて貼り付けるための壁面用略直角凹部を設け、
前記板状の外縁部のうち他方側に、建造物の壁面の段付き凸部の直角部位に壁紙部材を押し当てて貼り付けるための段付部用略直角凹部を、前記壁面用略直角凹部と向かい合うように設け、
前記壁面用略直角凹部は、
互いに略直交する向きにそれぞれ形成された第１辺部及び第２辺部を有し、
前記段付部用略直角凹部は、
互いに略直交する向きにそれぞれ形成された第３辺部及び第４辺部を有し、
前記第３辺部及び前記第４辺部は、それぞれ、前記第１辺部及び前記第２辺部のいずれよりも短く形成されている
ことを特徴とする壁紙貼り付け具。
【請求項２】
請求項１記載の壁紙貼り付け具において、
前記壁面用略直角凹部は、
前記第１辺部と前記第２辺部との間の隅部に、第１切り込み溝を有し、
前記段付部用略直角凹部は、
前記第３辺部と前記第４辺部との間の隅部に、第２切り込み溝を有する
ことを特徴とする壁紙貼り付け具。
【請求項３】
請求項２記載の壁紙貼り付け具において、
前記第１辺部、前記第２辺部、前記第３辺部、前記第４辺部のそれぞれは、
板厚方向の横断面視において、当該板厚方向の一方側端部及び他方側端部の両方に、面取り形状を備える
ことを特徴とする壁紙貼り付け具。
【請求項４】
互いに略直交する向きにそれぞれ形成された第１辺部及び第２辺部を備える壁面用略直角凹部を一方側に有し、かつ、互いに略直交する向きにそれぞれ形成されるとともに前記第１辺部及び前記第２辺部のいずれよりも短く形成された第３辺部及び第４辺部を備える段付部用略直角凹部を他方側に有する、壁紙貼り付け具を用いた壁紙施工方法であって、
建造物の直角凸壁面に対しては、前記壁面用略直角凹部によって壁紙部材を押し当てて貼り付け、
建造物の壁面の段付き凸部の直角部位に対しては、前記段付部用略直角凹部によって壁紙部材を押し当てて貼り付ける
ことを特徴とする壁紙施工方法。
【発明の詳細な説明】
【技術分野】
【０００１】
本発明は、壁紙貼り付け具及び壁紙施工方法に関する。
【背景技術】
【０００２】
従来、壁紙張り作業において、コーナー部分における壁紙作業を支援する壁紙張り作業用支援具が知られている（例えば、特許文献１参照）。特許文献１の図１〜図７及び段落［０００７］〜［００１０］に示すように、この従来技術の壁紙張り作業用支援具は、スポンジからなるブロック状の本体１が、全長方向にそって設けられた溝２と、布３とを備えていることが記載されている。また、特許文献１の段落［００１３］には、布３の溝２箇所を壁と天井のコーナーに密接させながら擦ることで壁紙の裏側に残存した空気を抜くことができることが記載されている。
【先行技術文献】
【特許文献】
【０００３】
【特許文献１】特開２００２−２９３０９９号公報
【発明の概要】
【発明が解決しようとする課題】
【０００４】
上記従来技術の壁紙張り作業支援具では、壁紙張り作業を行う天井と壁とのコーナー部分は凹状に引っ込んだ構造であり、壁の角の部分が凸状に出っ張った構造において壁紙張り作業を支援する技術については記載されていない。
【０００５】
本発明の目的は、凸状に出っ張った直角構造部分に対し壁紙部材を円滑かつ簡単に貼り付ける壁紙貼り付け具及び壁紙施工方法を提供することにある。
【課題を解決するための手段】
【０００６】
上記目的を達成するために、本願発明は、略扁平な板状に構成された壁紙貼り付け具であって、前記板状の外縁部のうち一方側に、建造物の直角凸壁面に壁紙部材を押し当てて貼り付けるための壁面用略直角凹部を設け、前記板状の外縁部のうち他方側に、建造物の壁面の段付き凸部の直角部位に壁紙部材を押し当てて貼り付けるための段付部用略直角凹部を、前記壁面用略直角凹部と向かい合うように設け、前記壁面用略直角凹部は、互いに略直交する向きにそれぞれ形成された第１辺部及び第２辺部を有し、前記段付部用略直角凹部は、互いに略直交する向きにそれぞれ形成された第３辺部及び第４辺部を有し、前記第３辺部及び前記第４辺部は、それぞれ、前記第１辺部及び前記第２辺部のいずれよりも短く形成されていることを特徴としている。
【０００７】
本発明の壁紙貼り付け具によれば、例えば建造物の直角凸壁面に壁紙部材を貼り付ける時は、最初に直角凸壁面に予め裏面に接着剤が塗布された壁紙部材を仮貼りしておき、その状態で、壁面用略直角凹部の最奥部を直角凸壁面の頂点に合わせるようにしつつ、貼り付け具を壁紙に接触させる。これにより、直角凸壁面のうち一方の壁に第１辺部が当接するとともに、他方の壁に第２辺部が当接する。したがって、そのまま貼り付け具を直角凸壁面全体に押し付けた状態で上下方向に壁紙をなでつけるようにしながら往復させるだけで、壁紙部材を円滑かつ簡単に直角凸壁面に対しキレイな仕上がりで、シワが寄ることなく貼り付けることができる。
【０００８】
同様に、例えば建造物の壁面の段付き凸部に壁紙部材を貼り付ける時も、まず段付き凸部に壁紙部材を仮貼りした状態で、段付部用略直角凹部の最奥部を段付き凸部の直角部位の頂点に合わせるようにしつつ、貼り付け具を壁紙に接触させる。これにより、直角部位のうち一方の壁に第３辺部が当接するとともに、他方の壁に第４辺部が当接する。したがって、そのまま貼り付け具を直角凸壁面全体に押し付けた状態で上下方向に壁紙をなでつけるようにしながら往復させるだけで、壁紙部材を円滑かつ簡単に角を成形し直角部位に対しキレイな仕上がりで、シワが寄ることなく貼り付けることができる。
【０００９】
以上のように、本願発明の壁紙貼り付け具を用いると、建造物の直角凸壁面に対しても壁面の段付き凸部に対しても壁紙部材を円滑かつ簡単に貼り付けることができる。また、壁面用略直角凹部と段付部用略直角凹部とが１つの壁紙貼り付け具の反対側に備えられているので、壁紙貼り付け具を手に持ったままその持ち方を変えるだけで、直角凸壁面と段付き凸部との両方が混在する施工現場において、共通の壁紙貼り付け具により施工を行うことができ、壁紙貼り付け具を交換する必要がない。
【発明の効果】
【００１０】
本発明の壁紙貼り付け具及び壁紙施工方法によれば、凸状に出っ張った直角構造部分に対し壁紙部材を円滑かつ簡単に貼り付けることができる。
【図面の簡単な説明】
【００１１】
【図１】本発明に係る建造物の直角凸壁面及び段付き凸部を説明する斜視図である。
【図２】本発明に係る壁紙貼り付け具の斜視図である。
【図３】図１に示した壁紙貼り付け具の正面図である。
【図４】図３のＡ−Ａ線における部分断面図である。
【図５】図４の壁紙貼り付け具の面取り形状の効果を示す概念図である。
【図６】図２の壁紙貼り付け具による壁紙施工方法を示すフローチャートである。
【図７】天井の溝に変形例に係る壁紙貼り付け具で壁紙施工を行っている斜視図及び拡大断面図である。
【図８】変形例に係る壁紙貼り付け具の正面図である。
【図９】第１直角突出部と第２直角突出部の大きさが異なる変形例に係る壁紙貼り付け具の正面図である。
【図１０】壁紙貼り付け具１が磁石を備える変形例に係る斜視図である。
【発明を実施するための形態】
【００１２】
以下、本発明の一実施形態を図面を参照して説明する。まず、図１において、本実施形態に係る建造物の直角凸壁面１３及び壁面の段付き凸部１４を説明する。
【００１３】
図１は、新築の建造物等の内装において、壁紙を貼り付ける前の壁面１２の一形態を示している。壁面１２は４つの平面１５、平面１６，平面１７，平面１８を含む。本実施形態において、直角凸壁面１３は、平面１７と平面１８によって形成された、直角に出っ張った凸部（出隅）であって、壁面１２において一般的な柱部分などの構造を指している。壁面の段付き凸部１４は、平面１５と平面１７との間の段差である平面１６により形成される凸部を指しており、平面１５と平面１６との間に出っ張った直角部位２０が形成されている。このような、小さな段の周りに形成される構造である段付き凸部１４は例えば造り付けの家具の周辺などに配置される。
【００１４】
段付き凸部１４の段付き高さΔｈは例えば３ｃｍ以下である。直角凸壁面１３の段付き高さΔＨは例えば５ｃｍ以上である。段付き高さΔｈが３ｃｍを超え、５ｃｍ未満である場合には、段付き凸部１４は、直角凸壁面１３として取り扱ってもよい。または、段付き凸部１４と直角凸壁面１３のうち、どちらか適合する方として取り扱ってもよい。
【００１５】
直角凸壁面１３の段付き高さΔＨは、平面１７を段差と見たときの平面１７の左右方向の幅である。段付き凸部１４の段付き高さΔｈは、平面１６を段差と見たときの平面１６の前後方向の幅である。
【００１６】
すなわち、直角凸壁面１３を構成する平面１７，平面１８はいずれの辺も５ｃｍ以上であり段付き凸部１４を構成する平面１５，平面１６のうち、平面１６は３ｃｍ以下の辺を含む。
【００１７】
図１では、建造物の内装において床面に向かう方向を下、図示されない天井に向かう方向を上とし、左右方向、前後方向は上下方向にそれぞれ直交する方向としている。
【００１８】
図２に、本実施形態に係る壁紙貼り付け具１の斜視図を、図３に壁紙貼り付け具１の正面図を示す。壁紙貼り付け具１は、略扁平な板状に構成され、前記板状の外縁部のうち一方側に、図１に示した建造物の直角凸壁面１３に壁紙部材１９を押し当てて貼り付けるための壁面用略直角凹部（凹部を入隅とも言う）２が設けられ、前記板状の外縁部のうち他方側に、図１に示した建造物の壁面の段付き凸部１４の直角部位２０に壁紙部材１９を押し当てて貼り付けるための段付部用略直角凹部３が、壁面用略直角凹部２と向かい合うように設けられている。
【００１９】
壁紙貼り付け具１の壁面用略直角凹部２及び段付部用略直角凹部３は、完全な直角ではなく、直角よりもわずかに大きい角度、例えば９２度〜９３度の間の角度となっており、このような角度の範囲内にあることで直角凸壁面１３及び段付き凸部１４の直角部位２０に所望の角度をつけながらちょうど押し当てることができるようになっている。
【００２０】
壁面用略直角凹部２は、互いに略直交する向きにそれぞれ形成された第１辺部４及び第２辺部５を有し、段付部用略直角凹部３は、互いに略直交する向きにそれぞれ形成された第３辺部６及び第４辺部７を有し、第３辺部６及び第４辺部７は、それぞれ、第１辺部４及び第２辺部５のいずれよりも短く形成されている。
【００２１】
壁面用略直角凹部２の第１辺部４、第２辺部５は例えばそれぞれ４ｃｍ以上〜５ｃｍ以下の範囲である。段付部用略直角凹部３の第３辺部６、第４辺部７は例えばそれぞれ２ｃｍ以上〜４ｃｍ以下の範囲である。
【００２２】
すなわち、図１で示したように、直角凸壁面１３と段付き凸部１４とでは段付き高さが異なるため、段付き凸部１４には壁面用略直角凹部２より小さな段付部用略直角凹部３を用いて施工するようになっている。段付き凸部１４に壁面用略直角凹部２を用いて壁紙を貼り付けようとすると段付き高さよりも第１辺部４または第２辺部５のほうが長いため壁紙貼り付け具１を直角部位２０に押し当てることができない。
【００２３】
第１辺部４及び第２辺部５が５ｃｍを超えると、壁紙貼り付け具１が大きすぎて施工者の手に持ちにくく、また狭い構造の場所では周囲に干渉して施工が行いにくくなる場合がある。
【００２４】
壁紙貼り付け具１の材質は、特に限定されるものではないが、一定以上の硬さを持ち壁紙を傷つけにくい素材で構成されることが望ましい。このような素材としては例えば硬質プラスチック、ナイロン６６等のポリアミドなどが挙げられる。また、その他にもこれらと同等の硬さを有する材質を用いることができる。
【００２５】
壁紙貼り付け具１において、壁面用略直角凹部２は、第１辺部４と第２辺部５との間の隅部８に、第１切り込み溝９を有し、段付部用略直角凹部３は、第３辺部６と第４辺部７との間の隅部８に、第２切り込み溝１０を有する。
【００２６】
壁紙貼り付け具１には必要に応じて所望の場所に適宜紐などを通すための貫通孔１１が設けられていてもよい。
【００２７】
壁紙貼り付け具１は、前述の素材をカットしたのち研磨剤等で削って作成してもよく、予め用意した型を用いて成形してもよい。またその他公知の方法により作成してもよい。
【００２８】
図３に示す方角は壁紙貼り付け具１を図示されない接地面に平置きしたとき、接地面に向かう方向を下方向、その反対方向を上方向としている。左右方向、前後方向はそれぞれ上下方向に直交する方向である。同様の方角が図４、図５にも適用される。
【００２９】
壁紙貼り付け具１において、第１辺部４、第２辺部５、第３辺部６、第４辺部７のそれぞれは、板厚方向の横断面視において、当該板厚方向の一方側端部及び他方側端部の両方に面取り形状Ｒを備える。
【００３０】
図４に、図３に示した壁紙貼り付け具１のＡ−Ａ線における部分断面図を示す。図４において、壁紙貼り付け具１の第１辺部４の板厚方向すなわちこの図の上下方向の一方側端部及び他方側端部の両方に曲線状の面取り形状Ｒを備えている。第２辺部５、第３辺部６、第４辺部７においても同様の構造となっている。
【００３１】
図５に、図４の壁紙貼り付け具１の面取り形状Ｒの効果を説明する概念図を示す。図５では壁面１２から壁紙部材１９に向かう方向を前方向、その逆を後方向とし、それに直交する方向を左右方向、上下方向としている。図５は壁紙貼り付け具１を用いて壁面１２に壁紙１２を貼り付けて施工している状態を左側面から見た概念図である。
【００３２】
壁面１２に貼り付けた壁紙部材１９を壁紙貼り付け具１で押さえ、上下方向に動かして壁紙貼り付けの施工を行うと、壁紙貼り付け具１の壁紙部材１９に接触する面が面取り形状Ｒとなっているため、壁紙貼り付け具１が壁紙部材１９にひっかからず、適度な摩擦（摩擦熱）により壁紙部材１９を成形し曲げ癖をつけることができるので、壁紙部材１９を傷つけることが少なく、スムーズに力をこめて施工を行うことができる。
【００３３】
図６に、図２の壁紙貼り付け具１による壁紙施工方法の操作のフローチャートを示す。本実施形態の壁紙施工方法は工程（Ａ）〜工程（Ｄ）を含むことを特徴としている。
【００３４】
工程（Ａ）は、壁紙部材１９を貼り付ける前の壁面１２に形成された直角凸壁面１３の状態を示している。壁面１２は例えば石膏ボードなどが剥き出しになった状態である。
【００３５】
工程（Ｂ）において、直角凸壁面１３に壁紙部材１９を仮貼りする。壁紙部材１９の裏面には接着剤が予め塗布されている。
【００３６】
工程（Ｃ）において、壁紙１９の上から、施工者の手２１により、直角凸壁面１３に壁紙貼り付け具１の壁面用略直角凹部２を押し当てる。この後、手２１により、直角凸壁面１３の直角の凸部に沿って壁紙貼り付け具１を上下方向に往復させ、壁紙部材１９を直角凸壁面１３に貼り付ける。この時、下から上にすくい上げる、あるいは壁紙部材１９を逆なでするようなイメージで壁紙貼り付け具１を押し当てて動かす。壁紙部材１９の素材が特に傷つきやすいものである場合などには、必要に応じて、壁紙部材１９の上を濡らしたスポンジなどで湿らせながらこの工程を行ってもかまわない。
【００３７】
工程（Ｄ）は、工程（Ｃ）によって直角凸壁面１３に壁紙部材１９が貼り付けられ、施工が完了した状態である。壁面１２からはみ出した壁紙部材１９などは、適宜カッターなどで壁面１２の形状に合わせて取り除かれている。
【００３８】
建造物の壁面の段付き凸部１４に壁紙貼り付け具１の段付部用略直角凹部３を用いて壁紙部材１９を施工する工程も上述の工程と同様であるため説明は省略する。
【００３９】
壁紙部材１９は、通常の壁紙のほか、あらゆるクロス類を含む。また、壁紙部材１９は防水、防汚、表面強化などの特殊加工を施した材質の硬い壁紙や、冬季等の気温低下により硬化した通常の壁紙であってもよく、壁紙貼り付け具１は特にこれらの壁紙の成形に有効である。
【００４０】
＜実施形態の効果＞
例えば建造物の直角凸壁面１３に壁紙部材１９を貼り付ける時は、最初に直角凸壁面１３に壁紙部材１９を仮貼りしておき、その状態で、壁紙貼り付け具１の壁面用略直角凹部２の最奥部を直角凸壁面１３の頂点に合わせるようにしつつ、壁紙貼り付け具１を壁紙部材１９に接触させる。これにより、直角凸壁面３を構成する一方の平面に第１辺部４が当接するとともに、他方の平面に第２辺部５が当接する。したがって、そのまま壁紙貼り付け具１を直角凸壁面１３全体に押し付けた状態で上下方向に壁紙部材１９をなでつけるようにしながら往復させるだけで、壁紙部材１９を円滑かつ簡単に直角凸壁面１３に対しシワがよることなく綺麗な仕上がりで貼り付けることができる。
【００４１】
同様に、例えば建造物の壁面１２の段付き凸部１４に壁紙部材１９を貼り付ける時も、まず段付き凸部１４に壁紙部材１９を仮貼りした状態で、段付部用略直角凹部３の最奥部を段付き凸部１４の直角部位２０の頂点に合わせるようにしつつ、壁紙貼り付け具１を壁紙部材１９に接触させる。これにより、直角部位２０を形成する一方の平面に第３辺部６が当接するとともに、他方の平面に第４辺部７が当接する。したがって、そのまま壁紙貼り付け具１を直角凸壁面１３全体に押し付けた状態で上下方向に壁紙部材１９をなでつけるようにしながら往復させるだけで、壁紙部材１９を円滑かつ簡単に直角部位２０に対しシワがよることなく綺麗な仕上がりで貼り付けることができる。
【００４２】
以上のように、本実施形態の壁紙貼り付け具１を用いると、建造物の直角凸壁面１３に対しても壁面の段付き凸部１４に対しても壁紙部材１９を円滑かつ簡単に貼り付けることができる。また、壁面用略直角凹部２と段付部用略直角凹部３とが１つの壁紙貼り付け具１の反対側に備えられているので、壁紙貼り付け具１を手に持ったままその持ち方を変えるだけで、直角凸壁面１３と段付き凸部１４との両方が混在する施工現場において、共通の壁紙貼り付け具１により施工を行うことができ、壁紙貼り付け具１を交換する必要がない。
【００４３】
また、さらに、壁紙貼り付け具１が第１切り込み溝９及び第２切り込み溝１０を有することにより、壁紙貼り付け具１により壁紙部材１９の貼り付けを施工した際に、壁紙貼り付け具１で角度をつけてすくい上げるように壁紙部材１９を施工することで直角凸壁面１３や段付き凸部の直角部位２０の凸状の角の部分の形状（エッジ）を鋭くはっきりと浮き上がらせることができ、壁紙部材１９の内部に残存空気などもなく仕上がりが美しくなる。また壁紙貼り付け具１を円滑に押し当てることができ壁紙部材１９に傷などもつきにくい。
【００４４】
また、さらに、壁紙貼り付け具１において、第１辺部４、第２辺部５、第３辺部６、第４辺部７のそれぞれが板厚方向の横断面視において、当該板厚方向の一方側端部及び他方側端部の両方に面取り形状Ｒを備えることにより、壁紙貼り付け具１を壁紙部材１９へ押し付けた際のなでつけ・往復をスムーズに行うことができ、壁紙部材１９にシワが寄ったり傷ついたりすることも防止できる。
【００４５】
以上説明したように、本実施形態の壁紙貼り付け具１を用いた壁紙施工方法によれば、壁面１２の直角凸壁面１３及び段付き凸部１４に、壁紙部材１９を簡単に美しく、傷つけずに貼り付けることができる。すなわち、壁紙貼り付け具１の壁面用略直角凹部２及び段付部用略直角凹部３が直角よりわずかだけ大きい角度となっていることにより角度をつけて壁紙部材１９に押し当てることができ、第１切り込み溝９及び第２切り込み溝１０を有することによって壁紙部材１９にすくい上げるように押し当てて施工した時に壁面１２の凸部に密着させやすく、凸部の形状を浮き上がらせるように綺麗に出すことができる。また、上記の構造に加えて壁紙貼り付け具１が面取り形状Ｒを備えるので壁紙部材１９を傷つけることがなく、かつ壁紙貼り付け具１そのものの素材には硬質なものを用いることができるので壁紙貼り付け具１の耐久性も高い。このような壁紙貼り付け具１を用いれば壁紙部材１９が一般的な素材の場合のみでなく、防汚処理や表面強化された貼り付けにくい素材であったり、気温が低い時に壁紙部材１９と裏面の接着剤が固くなって貼り付けにくい時にも、簡単に短時間で美しく壁紙部材１９を貼り付けることができる。
【００４６】
＜変形例＞
なお、本発明は、上記実施形態に限られるものではなく、その趣旨及び技術的思想を逸脱しない範囲内で種々の変形が可能である。以下、そのような変形例について説明する。
【００４７】
（１）壁紙貼り付け具１を天井２２の溝部２３に用いる場合
図７に、天井２２の溝部２３に変形例に係る壁紙貼り付け具１で施工を行っている状態を示す斜視図及び拡大断面図を示す。図７の方角は、天井２２に向かう方向を上方向、図示されない床面に向かう方向を下方向とし、上下方向に直交し、溝部２３が伸びる方向を前後方向とした時に、下前方から天井２２を見上げた図となっている。
【００４８】
溝部２３は、天井２２が複数の異なる母材で構成されている場合などに、母材の継ぎ目に形成される構造である。溝部２３は例えば目透かしと呼ばれ和室の天井などに用いられる。溝部２３は小さい凹部となっているため、スポンジや刷毛などの治具も入りにくく天井２２に壁紙部材１９を貼り付けた時に壁紙１９の内部に空気が残存しやすい。
【００４９】
図７では、天井２２の溝部２３に変形例に係る壁紙貼り付け具１を押し当てて図の前後方向に沿って動かし、溝部２３に貼り付けられた壁紙部材１９の上から、壁紙部材１９の内側に残存する空気を抜くように施工している。しかし、このような施工に限らず、壁紙部材１９が貼られていない天井２２に新しく壁紙部材１９を貼り付ける際に、壁紙貼り付け具１を用いて施工することもできる。
【００５０】
ここで言う天井２２の溝部２３の大きさは例えば溝幅１ｃｍ以内、溝深さ１ｃｍ以内である。
【００５１】
図８に、変形例に係る壁紙貼り付け具１の正面図を示す。壁紙貼り付け具１は略扁平でかつ略長方形の板状に構成され、長方形の４辺のうち対向する２つの長辺を構成し、略直線状にそれぞれ延びる第１外縁部２４及び第２外縁部２５と、前記長方形の４辺のうち対向する２つの短辺を構成し、略直線状にそれぞれ延びる第３外縁部２６及び第４外縁部２７と、互いに直交する第１外縁部２４及び第３外縁部２６の間に位置する第１隅部２８において、第１外縁部２４の延設方向に対し略直角に突出して設けられ、建造物の天井２２の溝部２３に壁紙部材１９を押し当てて貼り付けるための第１直角突出部３０と、互いに直交する第２外縁部２５及び第４外縁部２７の間で、前記長方形において第１隅部２８に対して対角線の反対側に位置する第２隅部２９において、第２外縁部２５の延設方向に対し略直角に突出して設けられ、建造物の天井の溝部２３に壁紙部材１９を押し当てて貼り付けるための第２直角突出部３１とを有する。
【００５２】
例えば建造物の天井２２の溝部２３に壁紙部材１９を入り込ませるように貼り付ける時は、最初に溝部２３の縁の直角部位２０をまたぐように壁紙部材１９を仮貼りしておき、その状態で、図７の拡大断面図に示したように、第１直角突出部３０又は第２直角突出部３１及び第１直角突出部３０又は第２直角突出部３１の基端部（言い換えれば第１直角突出部３０と第１外縁部２４との交点又は第２直角突出部３１と第２外縁部２５との交点）を上記直角部位２０の頂点に合わせるようにしつつ、壁紙貼り付け具１に角度をつけてを壁紙部材１９に接触させる。これにより、上記溝部２３の縁の直角部位２０よりも溝部２３の奥側（図７の後方）の天井２２には第１直角突出部３０又は第２直角突出部３１の側面が当接するとともに、上記溝部２３の縁の直角部位２０よりも溝部２３外側の天井２２には第１外縁部２４又は第２外縁部２５が当接する。
【００５３】
したがって、そのまま壁紙貼り付け具１を直角部位２０全体に押し付けた状態で図７の前後方向に壁紙部材１９をなでつけるようにしながら往復させるだけで、壁紙部材１９の内側に残存する空気を簡単に抜くことができる。また、新規に壁紙部材１９を貼り付ける場合には、円滑かつ簡単に天井２２の溝部２３に対しキレイな仕上がりでシワが寄ることなく貼り付けることができる。また、第１直角突出部３０と第２直角突出部３１とが１つの壁紙貼り付け具１の反対側に備えられているので、いずれか使いやすいほうを適宜に使うことができる。
【００５４】
本変形例においても、実施形態と同様、壁紙貼り付け具１の板厚方向の両端部に曲線状の面取り形状を有している。また、図８に示すように第１直角突出部３０と第１外縁部２４の間、及び第２直角突出部３１と第２外縁部との間には切り込み溝が入っている。このような形状により、壁紙１９を傷つけずに、かつ直角部位２０の角を綺麗に出しながら貼り付けることができる。
【００５５】
この変形例では天井２２の溝部２３を施工することについて説明しているが、天井２２でなく壁面１２に設けられた溝部２３であっても同様に空気抜きや貼り付けの施工をすることは可能である。
【００５６】
（２）第１直角突出部３０と第２直角突出部３１の大きさが異なる場合
図９に、壁紙貼り付け具１の第１直角突出部３０と第２直角突出部３１の大きさが異なる場合の正面図を示す。この変形例では、第１直角突出部３０の大きさが第２直角突出部３１より小さくなっている。この変形例によれば、溝部２３の大きさによって１つの壁紙貼り付け具１に設けられた第１直角突出部３０と第２直角突出部３１とを使い分けることができる。このほか、第１直角突出部３０と第２直角突出部３１の大きさや形状は用途に応じて適宜変更することができる。
【００５７】
（３）壁紙貼り付け具１が磁石３２を備える場合
図１０に壁紙貼り付け具１が磁石３２を備える場合の変形例について示す。図１０では、図に示した壁紙貼り付け具１の裏面に強力な磁石３２が備えられている。施工者Ｍは、腰に下げた腰袋３３やバッグ等に金属板３４を取り付けておき、壁紙貼り付け具１の磁石３２を金属板３４に吸着させることができる。また腰袋３３の内側に金属板３４を取り付けることで壁紙貼り付け具１が磁石から外れても腰袋３３内に落下するようにしている。これにより、施工中や施工前後の作業や移動の間に壁紙貼り付け具１を腰袋３３内に収納したり取り出したりする手間を省略することができる。
【００５８】
（４）その他
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００５９】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００６０】
また、以上既に述べた以外にも、上記実施形態や各変形例による手法を適宜組み合わせて利用しても良い。
【００６１】
その他、一々例示はしないが、本発明は、その趣旨を逸脱しない範囲内において、種々の変更が加えられて実施されるものである。
【符号の説明】
【００６２】
１                      壁紙貼り付け具
２                      壁面用略直角凹部
３                      段付部用略直角凹部
４                      第１辺部
５                      第２辺部
６                      第３辺部
７                      第４辺部
８                      隅部
９                      第１切り込み溝
１０                    第２切り込み溝
１１                    貫通孔
Ｒ                      面取り形状
１２                    壁面
１３                    建造物の直角凸壁面
１４                    壁面の段付き凸部
１５、１６、１７、１８  平面
１９                    壁紙部材
２０                    直角部位
２１                    手
２２                    天井
２３                    溝部
２４                    第１外縁部
２５                    第２外縁部
２６                    第３外縁部
２７                    第４外縁部
２８                    第１隅部
２９                    第２隅部
３０                    第１直角突出部
３１                    第２直角突出部
Ｍ                      施工者
３２                    磁石
３３                    腰袋
３４                    金属板
【要約】
【課題】凸状に出っ張った直角構造部分に対し壁紙部材を円滑かつ簡単に貼り付ける。
【解決手段】
壁紙貼り付け具１は板状の外縁部のうち一方側に、建造物の直角凸壁面１３に壁紙部材１９を押し当てて貼り付けるための壁面用略直角凹部２を備え、前記板状の外縁部のうち他方側に、建造物の壁面の段付き凸部１４の直角部位２０に壁紙部材１９を押し当てて貼り付けるための段付部用略直角凹部３を、前記壁面用略直角凹部２と向かい合うように備え、壁面用略直角凹部２は、互いに略直交する第１辺部４及び第２辺部５を備え、段付部用略直角凹部３は、互いに略直交する第３辺部６及び第４辺部７を備え、第３辺部６及び第４辺部７は、それぞれ、第１辺部４及び第２辺部５のいずれよりも短い。
【選択図】図２【図１】
0006931263.tif 000002
【図２】
0006931263.tif 000003
【図３】
0006931263.tif 000004
【図４】
0006931263.tif 000005
【図５】
0006931263.tif 000006
【図６】
0006931263.tif 000007
【図７】
0006931263.tif 000008
【図８】
0006931263.tif 000009
【図９】
0006931263.tif 000010
【図１０】
0006931263.tif 000011